(57)【特許請求の範囲】
【請求項１】
マニキュア液容器のためのホルダであって、
それぞれが使用者の指の周囲に適合するように構成された少なくとも２つのリング部分であって、各リング部分が、第１の端部と、前記第１の端部の遠位にあり且つ開口によって互いに周方向に離間された第１及び第２の遠位端部とを有し、それぞれの前記リング部分の前記第２の遠位端部が少なくとも部分的に一体に結合されている、少なくとも２つのリング部分と、
前記リング部分の前記第１の端部と相互接続された少なくとも１つのクラウン部分と
を有し、
前記クラウン部分が、前記リング部分との相互接続部に隣接する基部を含み、円錐台形状の側壁が、前記基部から前記クラウン部分の上表面まで延び、前記円錐台形状の側壁は、前記基部において第１の平均水平断面直径を、また前記上表面において前記第１の平均水平断面直径より大きい第２の平均水平断面直径を有し、
前記基部、前記側壁及び前記上表面が共に空洞を画定し、
前記上表面が、該上表面に形成された細長いスリット開口であって、複数の三角形フラップを形成するように一点に収束する少なくとも３つの細長いスリット開口を有し、
前記クラウン部分が、異なるサイズ及び形状のマニキュア液容器のセットの任意の１つを受け入れることができる
ことを特徴とするホルダ。
【請求項２】
前記リング部分及びクラウン部分が、一体成形構造物である統合体の一部であることを特徴とする、請求項１に記載のホルダ。
【請求項３】
前記統合体が香り付き材料で形成されることを特徴とする、請求項２に記載のホルダ。
【請求項４】
前記リング部分及びクラウン部分が、シリコーン、熱可塑性エラストマー、又は熱可塑性ゴムのうちの１つから形成されることを特徴とする、請求項２に記載のホルダ。
【請求項５】
前記スリット開口が、前記上表面の図心のところに収束することを特徴とする、請求項１に記載のホルダ。
【請求項６】
各リング部分が、前記第１の端部と前記第１の遠位端部との間の位置に形成された押込みタブを有することを特徴とする、請求項１に記載のホルダ。
【請求項７】
各押込みタブの外側表面がテクスチャ加工され、且つ／又はテクスチャ加工されていないことを特徴とする、請求項６に記載のホルダ。
【請求項８】
前記基部が、前記クラウン部分の内側に突出する複数の半球状突出部を有することを特徴とする、請求項１に記載のホルダ。
【請求項９】
前記ホルダが、前記リング部分の前記第１の端部と相互接続された２つのクラウン部分を含み、
各クラウン部分が、内部に形成された空洞と、マニキュア液容器を受け入れるように構成された拡大可能な開口部とを有し、
前記リング部分及び前記クラウン部分が、柔軟な材料で形成された統合体の一部であることを特徴とする、請求項１に記載のホルダ。
【請求項１０】
マニキュア液容器のためのホルダであって、
それぞれが使用者の指の１つの周囲に適合するように構成された少なくとも２つのリング部分と、
クラウン部分と
を有し、
各リング部分が、前記クラウン部分と相互接続された第１の端部と、前記第１の端部から遠位の第２の下側端部であって、開口によって互いに周方向に離間された第１及び第２の遠位端部を有する第２の端部とを有し、それぞれの前記リング部分の前記第２の遠位端部が少なくとも部分的に一体に結合され、各リング部分が、前記第１の端部と前記第１の遠位端部との間の位置に形成された押込みタブを有し、前記押込みタブは、圧力が加えられたときに前記スリット開口を拡大するように構成され、
前記クラウン部分が、該クラウン部分と前記リング部分の前記第１の端部との相互接続部に隣接する基部を含み、円錐台形状の側壁が前記基部から前記クラウン部分の上表面まで延び、前記円錐台形状の側壁が、前記基部のところに第１の平均水平断面直径を、また前記上表面のところに前記第１の平均水平断面直径より大きい第２の平均水平断面直径を有し、
前記基部、前記側壁及び前記上表面が共に空洞を画定し、
前記上表面が、該上表面に形成されたスリット開口であって、前記上表面の水平面の図心のところに収束して複数の細長い三角形フラップを形成する少なくとも３つのスリット開口を有し、
前記クラウン部分が、マニキュア液容器を受け入れるように構成され、
前記基部が、前記空洞内に配置された半球状突出部であって、前記マニキュア液容器の底部に作用するように構成された複数の半球状突出部を有し、
前記リング部分及び前記クラウン部分が、柔軟な材料で形成されている
ことを特徴とするホルダ。
【請求項１１】
前記リング部分及びクラウン部分が、シリコーン、熱可塑性エラストマー、及び熱可塑性ゴムのうちの１つから形成された統合体の一部であることを特徴とする、請求項１０に記載のホルダ。
【請求項１２】
各押込みタブの外側表面がテクスチャ加工され、且つ／又はテクスチャ加工されていないことを特徴とする、請求項１０に記載のホルダ。
【請求項１３】
前記統合体が香り付き材料で形成されることを特徴とする、請求項１０に記載のホルダ。
【請求項１４】
マニキュア液容器のためのホルダであって、
使用者の手首の周囲に適合するように構成されたリング部分であって、上側近位端部と下側遠位端部とを有し、前記下側遠位端部は、開口スリットによって互いに周方向に離間された第１及び第２の遠位端部を有する、リング部分と、
前記リング部分の前記上側近位端部と相互接続された少なくとも１つのクラウン部分と
を有し、
前記クラウン部分が、前記リング部分との相互接続部に隣接する基部を含み、側壁が、前記基部から前記クラウン部分の上表面まで延び、
前記基部、前記側壁及び前記上表面が共に空洞を画定し、
前記上表面が、該上表面に形成された細長いスリット開口であって、複数の三角形フラップを形成するように一点に収束する少なくとも３つの細長いスリット開口を有し、
前記クラウン部分が、異なるサイズ及び形状のマニキュア液容器のセットの任意の１つを受け入れることができる
ことを特徴とするホルダ。
【請求項１５】
前記リング部分及びクラウン部分が、一体成形構造物である統合体の一部であることを特徴とする、請求項１４に記載のホルダ。
【請求項１６】
前記統合体が香り付き材料で形成されることを特徴とする、請求項１５に記載のホルダ。
【請求項１７】
前記リング部分及びクラウン部分が、シリコーン、熱可塑性エラストマー、又は熱可塑性ゴムのうちの１つから形成されることを特徴とする、請求項１４に記載のホルダ。
【請求項１８】
前記側壁が円錐台形状であり、また前記基部のところに第１の平均水平断面直径を、そして前記上表面のところに前記第１の平均水平断面直径よりも大きい第２の平均水平断面直径を有することを特徴とする、請求項１４に記載のホルダ。
【請求項１９】
前記スリット開口が、前記上表面の図心のところに収束することを特徴とする、請求項１４に記載のホルダ。
【請求項２０】
前記リング部分の前記上側近位端部が、前記クラウン部分と相互接続された第１の近位端部及び第２の近位端部を有し、前記第１の遠位端部及び前記第２の遠位端部は、前記第１の近位端部及び第２の近位端部からそれぞれ遠位に位置し、前記第１の遠位端部と前記第１の近位端部との間、及び前記第２の遠位端部と前記第２の近位端部との間の位置にそれぞれ形成された押込みタブを有することを特徴とする、請求項１４に記載のホルダ。
【請求項２１】
各押込みタブの外側表面がテクスチャ加工され、且つ／又はテクスチャ加工されていないことを特徴とする、請求項１４に記載のホルダ。
【請求項２２】
前記基部が、前記クラウン部分の内側に突出する複数の半球状突出部を有することを特徴とする、請求項１４に記載のホルダ。
【請求項２３】
マニキュア液容器のためのホルダであって、
それぞれが使用者の指の周囲に適合するように構成された少なくとも２つのリング部分であって、各リング部分が、上側近位端部と、前記上側近位端部の遠位にある下側遠位端部であって、開口によって互いに周方向に離間された第１及び第２の遠位端部を有する下側遠位端部とを有し、それぞれの前記リング部分の前記第２の遠位端部が少なくとも部分的に一体に結合されている、２つのリング部分と、
前記リング部分の前記上側近位端部と相互接続された少なくとも１つのクラウン部分と
を有し、
前記クラウン部分が、前記リング部分との相互接続部に隣接する基部を含み、円錐台形状の側壁が、前記基部から前記クラウン部分の上表面まで延び、
前記基部、前記側壁及び前記上表面が共に空洞を画定し、
前記上表面が、該上表面に形成された少なくとも３つの細長いスリット開口を有し、
前記クラウン部分が、異なるサイズ及び形状のマニキュア液容器のセットの任意の１つを受け入れることができる
ことを特徴とするホルダ。
【発明の詳細な説明】
【技術分野】
【０００１】
本開示の主題は、手にマニキュア液を塗布することへの支援に関する。
【背景技術】
【０００２】
人の爪にマニキュア液を塗布することは、いくつかの課題を提示し得る。例えば、通常、マニキュア液は物品にしみをつける傾向を有し且つ／又は除去するのが困難である傾向を有するので、人は、はみ出したマニキュア液を周囲の物品及び表面に接触させないようにしてマニキュア液の塗布を完了させようと努力する。また、マニキュア液容器をひっくり返さないように、又はそうでなくてもマニキュア容器にその中身をこぼれさせないようにしなければならない。しかし、しばしばマニキュア液ブラシを湿らせなければならないので、塗布工程中にマニキュア液容器の蓋を閉め直すことは実際的ではない（蓋と塗布器が組み合わせられている場合には不可能である）。さらに、マニキュア液容器の配置は、塗布工程を容易にするため及び誤った艶出しの可能性を少なくするために、塗布工程中には人の爪のすぐ近くであることが好ましい。状況によっては、容器の配置はテーブル又は他の平坦な表面上で十分であるが、他の多くの場合では、使用者は、中身をこぼしやすくなるかもしれない不安定な場所にマニキュア液容器を置くことを余儀なくされ得る。
【０００３】
マニキュア液容器のための手に着ける（ｈａｎｄ−ｂａｓｅｄ）ホルダが、これまでにいくつか提案されてきた。実例には、「Ｆｉｎｇｅｒｎａｉｌ  Ｐｏｌｉｓｈｉｎｇ  Ｄｅｖｉｃｅ  ａｎｄ  Ｍｅｔｈｏｄ  ｏｆ  Ｕｓｅ」と題され２０１３年４月１５日に出願された米国特許出願第１３／８６２，５８３号、及び「Ｆｉｎｇｅｒ  Ｓｕｐｐｏｒｔｅｄ  Ｈｏｌｄｅｒ  ｆｏｒ  Ｎａｉｌ  Ｐｏｌｉｓｈ」と題され１９３７年１月２５日に出願された米国特許第２，１４０，２３１号が含まれる。しかし、先の解決法は、複数の理由により実際的でないことが判明した。例えば、マニキュア液容器は、そのサイズ及び形状がまちまちであり、多くの解決法は、そのようなばらつきに適切に対応することができない。他の解決法は、実際的でない手の位置を維持することを使用者に強いる。上記の問題を考慮すると、マニキュア液の広範囲に及ぶ使用にもかかわらず、広く利用可能な保持装置がないことは、効果的な解決法がこれまで実現されていないことを示している。
【先行技術文献】
【特許文献】
【０００４】
【特許文献１】米国特許出願第１３／８６２，５８３号
【特許文献２】米国特許第２，１４０，２３１号
【発明の概要】
【発明が解決しようとする課題】
【０００５】
本開示の主題は、上記の問題のうちの１つ又は複数の問題の影響を克服する、又は少なくとも軽減することを対象とする。
【課題を解決するための手段】
【０００６】
マニキュア液を塗布する際の使いやすさのために使用者がマニキュア液容器をその手に接触させて配置することを可能にするホルダが開示される。
【０００７】
例示的な実施例では、ホルダは、２つの指リング部分を含み、そのそれぞれが、様々な指のサイズに適応する開口スリットを有する。クラウンが指リングの上方に配置され、且つ様々なサイズ及び形状のマニキュア液容器を受け入れるように構成された拡大可能な開口部を有する。
【０００８】
本開示の上記の概要、好ましい実施例、及び他の観点は、以下の特定の実施例に関する詳細な説明を添付の図面と併せ読み参照することにより、最もよく理解されるであろう。
【図面の簡単な説明】
【０００９】
【図１Ａ】マニキュア液容器ホルダの実施例の斜視図である。
【図１Ｂ】図１Ａの実施例の正面平面図である。
【図１Ｃ】図１Ａの実施例の側面平面図である。
【図１Ｄ】図１Ｃに示された線に沿って切開した、図１Ａの実施例の側面平面破断図である。
【図１Ｅ】図１Ａの実施例の上面平面図である。
【図２Ａ】テクスチャ加工された（ｔｅｘｔｕｒｅｄ）押込みグリップを有する別の実施例の斜視図である。
【図２Ｂ】図２Ａの実施例のテクスチャ加工された押込みグリップの斜視拡大図である。
【図３Ａ】実施例の上面平面図である。
【図３Ｂ】図３Ａの実施例の破断斜視図である。
【図４】使用者の手首又は前腕に固定されるように構成された実施例の正面図である。
【発明を実施するための形態】
【００１０】
種々の図面中の同様の参照番号及び称号は、同様の要素を示す。
【００１１】
マニキュア液の塗布がより容易になるように使用者がマニキュア液容器を人の手に接触させて位置決めすることを可能にする、マニキュア液容器のための保持装置が開示される。
【００１２】
図１は、例示的な実施例を示す。ホルダ１０１が、開口スリット１０４をそれぞれが含む第１のリング部分１０２及び第２のリング部分１０３を有する。リング部分１０２、１０３、及びスリット１０４は、手に着けたり手から外したりするのが容易な、調節可能なリング・サイズを可能にする。ホルダは、様々な方法で身に着けられ得る。例えば、ホルダは、着用者の指と開口スリット１０４とを位置合わせし、ホルダを上方から指へと真っ直ぐ押し下げて、従来のリングのようにホルダを指の上に滑らせることにより、又は、以下でさらに説明されるようにオプションとして開示される押込みタブ１０５を活用してホルダを直接指に押し付けることにより、着用者の指に適用され得る。着用者は、ホルダを把持し真っ直ぐ上に引っ張って手から外すことにより、ホルダ１０１を手から取り外すことができる。
【００１３】
リング部分１０２、１０３の形状は、一方の手でホルダを把持することなしにもう一方の手にホルダがしっかりと着用されることを可能にするように構成されることが好ましい。リング部分１０２、１０３の厚みは、指と指とをわずかに圧迫することにより着用者がよりしっかりとホルダ１０１を把持することができるように選択され得る。柔軟な材料の使用、及びスリット開口部により、様々な指のサイズ及び形状に対してリングが自己調節することが可能になる。
【００１４】
いくつかの実施例では、リング部分の上に押込みタブが配置される。具体的には、それぞれのリング部分の外表面上に押込みタブ１０５が任意に配置される。押込みタブに圧力が加えられると、開口スリット１０４が拡大してリング部分の直径を大きくし、それにより、使用者がその指にホルダをより容易に着けることが可能になる。
【００１５】
クラウン１０６が、その中に形成された内部空洞（図１Ｄに示される）と、マニキュア液容器を受け入れるように構成された、空洞への拡大可能な開口部とを有する。指部分１０２及び１０３、並びにクラウン１０６は、実質的に柔軟な材料で形成された統合体の要素である。例えば、ホルダは、シリコーン、熱可塑性エラストマー、又は熱可塑性ゴムで形成され得る。本開示の技術分野の当業者には明らかなように、ホルダは、空中に保持された又は或る表面上に置かれた使用者の手に対して効果的に使用され得る。実施例では、リングの厚みは、不快感を与えない程度に指同士を分離させる働きをし、汚れるのを防止する。場合により、代替実施例（図示せず）では、指部分及びクラウンを統合体として形成する代わりに、ホルダは、吸着カップの使用、接着剤の使用、ベルクロ（登録商標）様の材料の使用を含む従来の手段により、或いは、さねはぎ、嵌め込みプラグ、又は任意の他の知られた連動機構によりクラウンが指部分に付着又は固定され得るように構成され得る。
【００１６】
図１Ｂ及び１Ｃは、それぞれホルダ１０１の正面平面図及び側面平面図である。図１Ｄは、図１Ｃに示された線に沿った側面破断図を示す。空洞１０７は、マニキュア液容器を保持するように構成される。図１Ｅは、ホルダ１０１の上面平面図である。マニキュア液容器は、スリット１０８から挿入され、それにより使用のために保持される。
【００１７】
開示されたホルダは、いくつかの利点を提供する。ホルダは、小型で、携帯可能で、且つ軽量であり、使用者がホルダをすぐに利用できるようにしておくことを可能にする。指部分のぴったり合う設計は、使用者間の指のサイズにおけるかなりの多様性に適応する。この設計はまた、色々なサイズを作る必要性が少なくなるという利点を有し、製造費用を削減する。
【００１８】
いくつかの実施例では、使用者が一度に複数のマニキュア液を使用することを可能にするために、複数のクラウンが使用される。
【００１９】
クラウンは、多様な基部形状、サイズ、ブランド、容量、基部寸法、高さ、幅、及び角度の瓶を含む現在市販されている幅広い範囲のマニキュア液容器を収容するように構成される。クラウンによって収容され得る例示的なマニキュア液容器の基部形状は、円形、正方形、半月形、楕円形、矩形、三角形、及び他の宝石様の形状（ｊｅｗｅｌ  ｓｈａｐｅ）を含む。クラウンによって収容され得る例示的なマニキュア液容器のサイズは、ミニ、スタンダード、及びミディアムである。クラウンによって収容され得る例示的なマニキュア液容器のブランド（商標）は、Ｕｌｔａ、ＯＰＩ、Ｃｈｉｎａ  Ｇｌａｚｅ、Ｎａｉｌｓ  Ｉｎｃ．、ＰＩＸＥＬ、Ｓａｌｌｙ  Ｂｅａｕｔｙ、Ｃｏｖｅｒ  Ｇｉｒｌ、Ｓａｌｌｙ  Ｈａｎｓｅｎ、ＣＮＤ、Ｍｉｎｅｒａｌ  Ｆｕｓｉｏｎ、ＲＵＳＨ、ＡＳＰ、Ｓｅｐｈｏｒａ、Ｒｅｖｌｏｎ、Ｍａｙｂｅｌｌｉｎｅ、ＮＹＣ、Ｏｒｌｙ、Ｆｉｎｇｅｒ  Ｐａｉｎｔｓ、ｇｅｌｉｓｈ、Ｎｉｎａ、ＩＮＭ、Ｓｉｎｆｕｌ  Ｃｏｌｏｒｓ、Ｂｅａｕｔｙ  Ｓｅｃｒｅｔｓ、Ｃｉｎａｐｒｏ、Ｓｅｃｈｅ、Ａｍｅｒｉｃａｎ  Ｃｌａｓｓｉｃｓ、Ｂｅａｕｔｙ  Ｓｅｃｒｅｔｓ、Ｎａｉｌ  Ｓａｖｖｙ、及びＦＵＳＥである。クラウンによって収容され得る例示的なマニキュア液容器の容量は、５．０３〜１７．７ｍｌ（０．１７〜０．６０液量オンス）を含む。上記は例示的なものに過ぎない。クラウンの柔軟な設計は、いかなる基部形状、容量、形状、サイズ、ブランド、基部寸法、高さ、幅、及び角度の瓶も収容するように構成され得る。
【００２０】
図２Ａは、テクスチャ加工された押込みタブ２０２を有するホルダ２０１を示す。図２Ｂは、図２Ａにおいて押込みタブ２０２上に示されたテクスチャ加工の拡大図である。
【００２１】
いくつかの実施例は２つのリング部分及び単一のクラウンを含むが、他の変形形態が本開示の範囲内に容易に含まれる。例えば、単一のリングの変形形態が適用されてもよい。
【００２２】
クラウンは、マニキュア液容器の保持を容易にするように構成されることが好ましい。例えば、曲線を付けられた内部形状、及び勾配を付けられた内部形状が、様々な瓶の外周、高さ、及び形状に適応する。クラウンにあるスリットは、クラウン空洞への開口部として用いられ得る。いくつかの実施例では６つのスリットが用いられるが、単一のスリットが用いられてもよい。クラウンにある単一の又は複数のスリットは、マニキュア液の量が少なくなるにつれて瓶を傾けること、又は活動中の手の位置に合わせて瓶を傾けることを可能にする。いくつかの実施例では、クラウンの上面は、瓶を所定の位置に保持するのに役立つさらなる把持を追加するためにテクスチャ加工される。同様に、クラウン空洞の内側の基部は、開口した際に瓶に対する抵抗を提供するためにテクスチャ加工される場合もあれば、そうでない場合もある。
【００２３】
図３Ａは、ホルダ３０１の上面平面図を示す。スリット３０２が、マニキュア液容器に適応する。図３Ｂは、ホルダ３０１の空洞３０３の破断図を示す。クラウン基部の内側は、コブ（ｎｕｂ）３０３を有し、このコブ３０３は、ホルダ３０１が一方の手の上にあり他方の手が下向きに圧力を加えながら蓋を回すために使用されるときにマニキュア液容器をつかむように設計されている。
【００２４】
図４を参照すると、いくつかの代替実施例では、単一のリング部分が、使用者の手首又は前腕に取り付くように構成され得る。他のいくつかの実施例と同様に、ホルダ４０１は、クラウン４０２及びリング部分４０３を有する。しかし、リング部分４０３は、一部の人たちの好みに適合するように、使用者の手首にぴったり合うように構成されている。
【００２５】
開示されたホルダは、単色で、多色で、又は模様付きで製造され得る。エンボス加工及びデボス加工を含む、様々な適用されるテクスチャの他に、滑らかな表面も用いられ得る。紐、吊り下げデバイス、キー・チェーン・クリップ、又は他の特注の要素などのアクセサリが含まれ得る。いくつかの実施例では、ホルダの材料に香り又は香料（ｓｃｅｎｔ）が注入される。
【００２６】
開示された主題は、その実施例に関して説明され図示されているが、開示された実施例の構成は、本発明の範囲内でさらなる実施例を作り出すために結合、再編成等され得ること、並びに、本発明の精神及び範囲から離れることなしに、開示された実施例においてまた開示された実施例に対して様々な他の変更、削除、及び追加がなされ得ることが、当業者によって理解されるべきである。
【図１Ａ】
0006377185.tif 000002
【図１Ｂ】
0006377185.tif 000003
【図１Ｃ】
0006377185.tif 000004
【図１Ｄ】
0006377185.tif 000005
【図１Ｅ】
0006377185.tif 000006
【図２Ａ】
0006377185.tif 000007
【図２Ｂ】
0006377185.tif 000008
【図３Ａ】
0006377185.tif 000009
【図３Ｂ】
0006377185.tif 000010
【図４】
0006377185.tif 000011